(57)【特許請求の範囲】
【請求項１】
集合住宅の火災発生を監視する住棟受信機（１）と、前記集合住宅の玄関と居室間の通話等の目的で設置され、付属機能として火災報知機能を備えた集合住宅用主制御装置（２）と、前記集合住宅の各居室に設けられた居室用感知器（８、８'）と、前記居室用感知器にて居室内での火災発生を感知したときに前記住棟受信機と前記集合住宅用主制御装置に対して火災報知信号を送る集合住宅用居室親機（４、４'）とを備えた自動火災報知設備付インターホンシステムであって、
前記集合住宅用居室親機には、前記居室内で火災が発生したことを報知するための対住棟受信機居室火災発生移報信号（Ｓ2）を前記住棟受信機に送出するのと同時に、火災発生情報および火災が発生した居室の火災発生居室番号（Ｓ3a）が付加された火災警報鳴動指示信号（Ｓ3）を前記集合住宅用主制御装置に送出するための火災信号移報回路（４１）を備え、
前記住棟受信機には、前記集合住宅用居室親機の火災信号移報回路からの前記対住棟受信機居室火災発生移報信号を受信するための居室火災受信回路（１１）と、前記居室火災受信回路にて前記対住棟受信機居室火災発生移報信号が受信されたとき、前記火災発生居室番号を問い合わせる火災発生居室番号問合信号（Ｓ6）を前記集合住宅用主制御装置に送出するための対主制御装置通信回路（１５）を備え、
前記集合住宅用主制御装置には、前記集合住宅用居室親機の火災信号移報回路からの前記火災警報鳴動指示信号及び前記住棟受信機の対主制御装置通信回路からの前記火災発生居室番号問合信号が受信されたとき、前記火災発生居室番号を通知する火災発生居室番号通知信号（Ｓ7）を前記住棟受信機に送出するための対住棟受信機通信回路（２２）を備え、
前記住棟受信機には、前記集合住宅用主制御装置の対住棟受信機通信回路からの前記火災発生居室番号通知信号が前記対主制御装置通信回路にて受信されたとき、前記火災発生居室番号を付加した警報音声（Ｓ9）を前記集合住宅用居室親機に送出するための出火居室番号付火災警報音鳴動回路（１２）とを備えることにより、或る居室で火災が発生したとき前記住棟受信機の対主制御装置通信回路と前記集合住宅用主制御装置の対住棟受信機通信回路によって、前記住棟受信機は、火災が発生した居室の部屋番号を知得して出火居室の近隣の集合住宅用居室親機に出火居室の部屋番号を付加した火災警報を鳴動させることを特徴とする自動火災報知設備付インターホンシステム。
【請求項２】
前記住棟受信機には、前記対主制御装置通信回路により前記火災発生居室番号を付加して火災の発生を表示する出火居室番号付火災警報表示回路（１４）を備えたことを特徴とする請求項１記載の自動火災報知設備付インターホンシステム。
【発明の詳細な説明】
【０００１】
【発明の属する技術分野】
本発明は自動火災報知設備付インターホンシステムに係わり、特に集合住宅での火災発生時において、火災が発生した居室および近隣の居室に火災警報により火災発生による非常事態を報知させる自動火災報知設備付インターホンシステムに関する。
【０００２】
【従来の技術】
従来からこの種の自動火災報知設備付インターホンシステムとして、図２のブロック図に示す構成の自動火災報知設備付インターホンシステムが提案されている。
【０００３】
同図は集合住宅内に設置される自動火災報知設備付インターホンシステムであり、集合住宅の１階等に設けられ、集合住宅の火災発生を監視する住棟受信機１０１と、集合住宅の管理人室等に設けられ、集合住宅の玄関と居室間の通話を成立させる機能とともに付属機能として火災報知機能を備えた集合住宅用主制御装置１０２と、集合住宅用主制御装置１０２とともに管理人室等に設けられた集合住宅用管理人室親機１０３と、各居室に１つずつ設けられ、該居室内で火災発生を感知したときに住棟受信機１０１と集合住宅用主制御装置１０２に火災発生を報知するための信号をそれぞれ送出する集合住宅用居室親機１０４、１０４'と、集合住宅の共用部をなす廊下等に設けられた発信機１０５、１０５'、共用部用感知器１０６、１０６'、共用部用非常ベル１０７、１０７'と、各居室に設けられた居室用感知器１０８、１０８'とで構成されている。
【０００４】
住棟受信機１０１は、共用部火災受信回路１１０と、居室火災受信回路１１１と、火災警報音鳴動回路１１２と、火災信号送出回路１１３と、火災警報表示回路１１４とを備えている。
【０００５】
集合住宅用主制御装置１０２は、火災警報受信回路１２０と、対管理人室親機送信回路１２１とを備えている。
【０００６】
集合住宅用管理人室親機１０３は、火災警報表示回路１３０と、対主制御装置受信回路１３１とを備えており、対主制御装置受信回路１３１と集合住宅用主制御装置１２０の対管理人室親機送信回路１２１は接続線Ｌ101で接続されている。
【０００７】
集合住宅用居室親機１０４、１０４'はそれぞれ同様な構成であり、火災信号受信回路１４０と、火災信号移報回路１４１と、地区音響装置鳴動回路１４２と、警報音切替回路１４３と、スピーカ１４４とを備えており、火災信号移報回路１４１は住棟受信機１０１の居室火災受信回路１１１と接続線Ｌ102で、集合住宅用主制御装置１０２の火災警報受信回路１２０と接続線Ｌ103でそれぞれ接続され、火災信号受信回路１４０は居室用感知器１０８、１０８'と接続線Ｌ104、Ｌ104'でそれぞれ接続され、地区音響装置鳴動回路１４２は住棟受信機１０１の火災信号送出回路１１３と接続線Ｌ105で接続され、警報音切替回路１４３は住棟受信機１０１の火災警報音鳴動回路１１２と接続線Ｌ106で接続されている。
【０００８】
発信機１０５、１０５'と共用部用感知器１０６、１０６'は、住棟受信機１０１の共用部火災受信回路１１０と接続線Ｌ107でそれぞれ接続され、共用部用非常ベル１０７、１０７'は住棟受信機１０１の火災信号送出回路１１３と接続線Ｌ108でそれぞれ接続されている。
【０００９】
尚、上述の集合住宅用居室親機１０４、１０４'は各居室に１つずつ設けられているが集合住宅の形態により警戒区域毎に分類される。通常、警戒区域は集合住宅の各階毎に分類されており、共用部をなす廊下等に設けられた発信機１０５、１０５'、共用部用感知器１０６、１０６'、共用部用非常ベル１０７、１０７'は、集合住宅の形態により警戒区域毎に分類されて複数個設けられており、居室用感知器１０８、１０８'についても各居室の形態により居室毎に１個または複数個設けられている。ここでは、居室内に設けられた集合住宅用居室親機１０４および居室用感知器１０８、共用部をなす廊下等に設けられた発信機１０５、共用部用感知器１０６、共用部用非常ベル１０７は集合住宅の２階に設置されているものとし、集合住宅用居室親機１０４'および居室用感知器１０８'、発信機１０５'、共用部用感知器１０６'、共用部用非常ベル１０７'も同一の警戒区域を形成する同一階に設置されているものとし、同一の警戒区域毎に配線される上述の接続線Ｌ102、Ｌ103、Ｌ104（Ｌ104'）、Ｌ105、Ｌ106、Ｌ107、Ｌ108でそれぞれ接続されている。尚、上述の集合住宅用居室親機１０４'および居室用感知器１０８'、発信機１０５'、共用部感知器１０６'、共用部用非常ベル１０７'が集合住宅の３階のような警戒区域が異なる区域に設置される場合には、別線の接続線でそれぞれ接続させる（詳述せず）。
【００１０】
このように構成された自動火災報知設備付インターホンシステムにおいて、例えば、集合住宅のうち集合住宅用居室親機１０４と居室用感知器１０８が備えられた居室内で火災が発生した場合には、居室用感知器１０８が火災発生を感知して動作することにより、接続線Ｌ104を介して集合住宅用居室親機１０４の火災信号受信回路１４０に居室火災発生信号Ｓ101が送出される。居室火災発生信号Ｓ101を入力検出した火災信号受信回路１４０は、火災信号移報回路１４１から接続線Ｌ102を介して住棟受信機１０１の居室火災受信回路１１１に該居室内で火災が発生したことを報知するための対住棟受信機居室火災発生移報信号Ｓ102を送出すると同時に、接続線Ｌ103を介して集合住宅用主制御装置１０２の火災警報受信回路１２０にデジタル通信で伝送される前述の火災発生情報に火災が発生した居室の部屋番号（火災発生居室番号）Ｓ103aが付加された火災警報鳴動指示信号Ｓ103を送出する。
【００１１】
また、集合住宅の共用部をなす廊下等で火災が発生した場合には、共用部用感知器１０６が火災発生を感知して動作するか、或いは火災発生の発見者が発信機１０５を適宜に操作することにより、接続線Ｌ107を介して住棟受信機１０１の共用部火災受信回路１１０に該共用部で火災が発生したことを報知するための共用部火災発生信号Ｓ104が送出される。
【００１２】
集合住宅用主制御装置１０２の火災警報受信回路１２０が上述の火災警報鳴動指示信号Ｓ103を入力検出すると、対管理人室親機送信回路１２１が動作して接続線Ｌ101を介して集合住宅用管理人室親機１０３の対主制御装置受信回路１３１に該居室内で火災が発生したことを報知するための火災発生居室番号Ｓ103aが付加された対管理室親機火災発生移報信号Ｓ105を送出する。対管理室親機火災発生移報信号Ｓ105を入力検出した集合住宅用管理人室親機１０３の対主制御装置受信回路１３１は、火災警報表示回路１３０にて火災発生居室番号Ｓ103aが付加された火災警報を鳴動（表示）させて管理人等に火災発生による非常事態を報知する。但し、集合住宅用主制御装置１０２における信号受信、集合住宅用管理人室親機１０３における前述の火災警報の鳴動は政令等に基づくものではなく、あくまでも付属機能であることから、集合住宅用主制御装置１０２が自ら受信した信号をもとに集合住宅用居室親機１０４に対して火災発生の非常事態を報知するための火災警報を鳴動させることは認められていない。
【００１３】
また、上述の対住棟受信機居室火災発生移報信号Ｓ102および共用部火災発生信号Ｓ104は信号線のオン／オフにより伝送されるため、住棟受信機１０１は警戒区域毎に配線された接続線により、どの警戒区域にて火災が発生されたかを判別することができる。よって、住棟受信機１０１の筐体（図示せず）に設けられた火災警報表示回路１１４が動作して、火災が発生した同一の警戒区域の情報が付加された火災警報が鳴動（表示）され火災発生による非常事態が報知される。
【００１４】
更に、このような自動火災報知設備付インターホンシステムでは、政令等により出火した同一の警戒区域内および周辺の指定された範囲に対して警報音声によって火災発生信号の伝達が義務づけられていることから、住棟受信機１０１の火災信号送出回路１１３から接続線Ｌ105を介して、火災が発生した居室および同一の警戒区域内の近隣の居室にそれぞれ備えられた集合住宅用居室親機１０４、１０４'の地区音響鳴動回路１４２に地区音響装置鳴動指令信号Ｓ106が送出されるとともに、住棟受信機１０１の火災警報音鳴動回路１１２から接続線Ｌ106を介して、集合住宅用居室親機１０４、１０４'の警報音切替回路１４３にスピーカ１４４を鳴動させるための警報音声Ｓ107が送出される。
【００１５】
地区音響装置鳴動指令信号Ｓ106を入力検出した集合住宅用居室親機１０４、１０４'の地区音響装置鳴動回路１４２は、警報音切替回路１４３の接点（図示せず）を切り替えて接続線Ｌ106とスピーカ１４４とを接続させる。よって、警報音切替回路１４３に入力された警報音声Ｓ107は、スピーカ１４４から例えば「○階で火災が発生しました・・・・・。」といった火災警報として鳴動されることから、集合住宅用居室親機１０４と居室用感知器１０８が設けられた居室内および同一の警戒区域の居室内で火災発生による非常事態が報知される。
【００１６】
また、住棟受信機１０１の火災信号送出回路１１３は、政令等で火災発生信号の伝達を義務づけられた区域の集合住宅の共用部をなす廊下等に設けられた共用部用非常ベル１０７、１０７'に、接続線Ｌ108を介して対主制御装置居室火災発生移報信号Ｓ108を送出する。よって、対主制御装置居室火災発生移報信号Ｓ108を入力検出した共用部用非常ベル１０７、１０７'がそれぞれ鳴動されることから、集合住宅の同一の警戒区域の共用部をなす廊下等において火災発生による非常事態が報知される。
【００１７】
【発明が解決しようとする課題】
しかしながら、従来の自動火災報知設備付インターホンシステムは以上のように構成されているので、火災発生による非常事態には住棟受信機の制御により集合住宅の同一の警戒区域をなす居室内および共用部をなす廊下等にて火災警報を鳴動させていたことから、火災が発生した居室の部屋番号の情報を知得できない住棟受信機の火災警報音鳴動回路では、集合住宅用居室親機に対して上述の「○階で火災が発生しました・・・・・。」といった火災が発生した居室が特定されない火災警報を鳴動させるのみで火災発生による非常事態の防災性が阻害されるといった難点があった。また、集合住宅用主制御装置は火災が発生した居室の部屋番号の情報を知得できても政令上はあくまでも付属機能であり、この装置が集合住宅用居室親機に対して火災発生による非常事態を報知するための警報音声を直接送信させるためには、消防検定を受検する必要が生じ政令等で定められた消防検定の技術上の規格、および消防検定細則に合致させるための大幅な改造が必要となり、更に、検定費用、申請資料作成の負担増加となるといった多くの難点があった。
【００１８】
本発明は上述の難点を解消するためになされたもので、火災発生時において、集合住宅の住棟受信機にて鳴動される火災警報に火災が発生した居室の部屋番号を付加し、火災が発生した居室内および同一の警戒区域の近隣に設置される居室内でそれぞれ鳴動させることにより、火災が発生した居室を明確に特定することが可能で防災性の向上が図れる自動火災報知設備付インターホンシステムを提供することを目的とする。
【００１９】
【課題を解決するための手段】
このような目的を達成するため、本発明による自動火災報知設備付インターホンシステムは、集合住宅の火災発生を監視する住棟受信機と、集合住宅の玄関と居室間の通話等の目的で設置され、付属機能として火災報知機能を備えた集合住宅用主制御装置と、集合住宅の各居室に設けられた居室用感知器と、居室用感知器にて居室内での火災発生を感知したときに住棟受信機と集合住宅用主制御装置に対して火災報知信号を送る集合住宅用居室親機とを備えた自動火災報知設備付インターホンシステムであって、集合住宅用居室親機には、居室内で火災が発生したことを報知するための対住棟受信機居室火災発生移報信号を住棟受信機に送出するのと同時に、火災発生情報および火災が発生した居室の火災発生居室番号が付加された火災警報鳴動指示信号を集合住宅用主制御装置に送出するための火災信号移報回路を備え、住棟受信機には、集合住宅用居室親機の火災信号移報回路からの対住棟受信機居室火災発生移報信号を受信するための居室火災受信回路と、居室火災受信回路にて対住棟受信機居室火災発生移報信号が受信されたとき、火災発生居室番号を問い合わせる火災発生居室番号問合信号を集合住宅用主制御装置に送出するための対主制御装置通信回路を備え、集合住宅用主制御装置には、集合住宅用居室親機の火災信号移報回路からの火災警報鳴動指示信号及び住棟受信機の対主制御装置通信回路からの火災発生居室番号問合信号が受信されたとき、火災発生居室番号を通知する火災発生居室番号通知信号を住棟受信機に送出するための対住棟受信機通信回路を備え、住棟受信機には、集合住宅用主制御装置の対住棟受信機通信回路からの火災発生居室番号通知信号が対主制御装置通信回路にて受信されたとき、火災発生居室番号を付加した警報音声を集合住宅用居室親機に送出するための出火居室番号付火災警報音鳴動回路とを備えることにより、或る居室で火災が発生したとき住棟受信機の対主制御装置通信回路と集合住宅用主制御装置の対住棟受信機通信回路によって、住棟受信機は、火災が発生した居室の部屋番号を知得して出火居室の近隣の集合住宅用居室親機に出火居室の部屋番号を付加した火災警報を鳴動させるものである。
【００２０】
また、本発明による自動火災報知設備付インターホンシステムの住棟受信機には、対主制御装置通信回路により火災発生居室番号を付加して火災の発生を表示する出火居室番号付火災警報表示回路を備えている。
【００２１】
このような自動火災報知設備付インターホンシステムによれば、火災発生を感知した居室内に設けられた集合住宅用居室親機から集合住宅用主制御装置に送出される火災発生を報知する信号に、火災発生の情報とともに火災が発生した居室の部屋番号（火災発生居室番号）を付加させてデジタル通信で伝送させ、集合住宅用主制御装置に相互接続される住棟受信機の制御により、火災が発生した居室および同一の警戒区域の近隣に設置される居室にて火災が発生した居室の部屋番号が付加された火災警報を鳴動させることにより、火災が発生した居室を明確に特定することが可能で防災性の向上が図れる。
【００２２】
【発明の実施の形態】
以下、本発明による自動火災報知設備付インターホンシステムを適用した好ましい形態の一実施例について、図面を参照して説明する。
【００２３】
図１は集合住宅内に設置される自動火災報知設備付インターホンシステムの構成を示すブロック図であり、集合住宅の１階等に設けられ、集合住宅の火災発生を監視する住棟受信機１と、集合住宅の管理人室等に設けられ、集合住宅の玄関と居室間の通話を成立させる機能とともに付属機能として火災報知機能を備えた集合住宅用主制御装置２と、集合住宅用主制御装置２とともに管理人室等に設けられた集合住宅用管理人室親機３と、各居室に１台ずつ設けられ、該居室内で火災発生を感知したときに住棟受信機１と集合住宅用主制御装置２に火災発生を報知するための信号をそれぞれ送出する集合住宅用居室親機４、４'と、集合住宅の共用部をなす廊下等に設けられた発信機５、５'、共用部用感知器６、６'、共用部用非常ベル７、７'と、各居室に設けられた居室用感知器８、８'とで構成されている。
【００２４】
住棟受信機１は、集合住宅の共用部をなす廊下等における火災の発生を検出する共用部火災受信回路１０と、集合住宅をなす居室内における火災の発生を検出する居室火災受信回路１１と、集合住宅用居室親機４、４'に火災が発生した居室の部屋番号が付加された火災発生の非常事態を報知する出火居室番号付火災警報音鳴動回路１２と、火災発生時において政令等に該当する警域区域内に非常事態を報知する火災信号送出回路１３と、火災が発生した居室の部屋番号が付加された火災発生による非常事態を表示（報知）する出火居室番号付火災警報表示回路１４と、集合住宅用主制御装置２から火災が発生した居室の部屋番号を受信する対主制御装置通信回路１５とを備えている。
【００２５】
集合住宅用主制御装置２は、集合住宅をなす居室内における火災の発生を検出する火災警報受信回路２０と、集合住宅用管理人室親機３に火災発生による非常事態を報知する対管理人室親機送信回路２１と、住棟受信機１の対主制御装置通信回路１５からの問い合わせにより火災が発生した居室の部屋番号を送出する対住棟受信機通信回路２２とを備えており、対住棟受信機通信回路２２と住棟受信機１の対主制御装置通信回路１５は接続線Ｌ1で接続されている。
【００２６】
集合住宅用管理人室親機３は、火災が発生した居室の部屋番号が付加された火災発生による非常事態を表示（報知）する火災警報表示回路３０と、対主制御装置受信回路３１とで構成され、対主制御装置受信回路３１と集合住宅用主制御装置２の対管理人室親機送信回路２１は接続線Ｌ2で接続されている。
【００２７】
集合住宅用居室親機４、４'はそれぞれ同様な構成であり、集合住宅をなす居室内における火災の発生を検出する火災信号受信回路４０と、居室内における火災発生による非常事態を住棟受信機１および集合住宅用主制御装置２に報知する火災信号移報回路４１と、住棟受信機１からの制御により動作する地区音響装置鳴動回路４２と、後述するスピーカ４４と住棟受信機１との接続ラインを切り替える警報音切替回路４３と、火災が発生した居室の部屋番号が付加された火災警報を鳴動するスピーカ４４とを備えており、火災信号移報回路４１は住棟受信機１の居室火災受信回路１１と接続線Ｌ3で、集合住宅用主制御装置２の火災警報受信回路２０と接続線Ｌ4でそれぞれ接続され、火災信号受信回路４０は居室用感知器８、８'と接続線Ｌ5、Ｌ5'でそれぞれ接続され、地区音響装置鳴動回路４２は住棟受信機１の火災信号送出回路１３と接続線Ｌ6で接続され、警報音切替回路４３は住棟受信機１の火災警報音鳴動回路１２と接続線Ｌ7で接続されている。
【００２８】
発信機５、５'と共用部用感知器６、６'は、住棟受信機１の共用部火災受信回路１０と接続線Ｌ8でそれぞれ接続され、共用部用非常ベル７、７'は住棟受信機１の火災信号送出回路１３と接続線Ｌ9でそれぞれ接続されている。
【００２９】
尚、上述の集合住宅用居室親機４は各居室に１つずつ設けられているが、集合住宅の形態により警戒区域毎に分類される。通常、警戒区域は各階毎に分類されており、発信機５、５'、共用部用感知器６、６'、共用部用非常ベル７、７'は、集合住宅の形態により警戒区域毎に分類されて複数個設けられており、居室用感知器８、８'についても各居室の形態により居室毎に１個または複数個設けられている。ここでは、居室内に設けられた集合住宅用居室親機４および居室用感知器８、共用部をなす廊下等に設けられた発信機５、共用部用感知器６、共用部用非常ベル７は集合住宅の２階に設置されているものとし、集合住宅用居室親機４'および居室用感知器８'、発信機５'、共用部用感知器６'、共用部用非常ベル７'も同一の警戒区域を形成する同一階に設置されているものとし、同一の警戒区域毎に配線される上述の接続線Ｌ3、Ｌ4、Ｌ5（Ｌ5'）、Ｌ6、Ｌ7、Ｌ8、Ｌ9でそれぞれ接続されている。尚、上述の集合住宅用居室親機４'および居室用感知器８'、発信機５'、共用部感知器６'、共用部用非常ベル７'が集合住宅の３階のような警戒区域が異なる区域に設置される場合には、別線の接続線でそれぞれ接続させる（詳述せず）。
【００３０】
このように構成された自動火災報知設備付インターホンシステムにおいて、以下、その動作について説明する。
【００３１】
例えば、集合住宅のうち集合住宅用居室親機４と居室用感知器８が設けられた居室内で火災が発生した場合には、居室用感知器８が火災発生を感知して動作することにより、接続線Ｌ5を介して集合住宅用居室親機４の火災信号受信回路４０に居室火災発生信号Ｓ1が送出される。居室火災発生信号Ｓ1を入力検出した火災信号受信回路４０は、火災信号移報回路４１から接続線Ｌ3を介して住棟受信機１の居室火災受信回路１１に該居室内で火災が発生したことを報知するための対住棟受信機居室火災発生移報信号Ｓ2を送出すると同時に、接続線Ｌ4を介して集合住宅用主制御装置２の火災警報受信回路２０にデジタル通信で伝送される前述の火災発生情報および火災が発生した居室の部屋番号（火災発生居室番号）Ｓ3aが付加された火災警報鳴動指示信号Ｓ3を送出する。
【００３２】
また、集合住宅の共用部をなす廊下等で火災が発生した場合には、共用部用感知器６が火災を感知して動作するか、或いは火災発生の発見者が発信機５を適宜に操作することにより、接続線Ｌ8を介して住棟受信機１の共用部火災受信回路１０に該共用部で火災が発生したことを報知するための共用部火災発生信号Ｓ4が送出される。
【００３３】
集合住宅用主制御装置２の火災警報受信回路２０が上述の火災警報鳴動指示信号Ｓ3を入力検出すると、対管理室親機送信回路２１が動作して接続線Ｌ2を介して集合住宅用管理室親機３の対主制御装置受信回路３１に該居室内で火災が発生したことを報知するための火災発生居室番号Ｓ3aが付加された対管理室親機火災発生移報信号Ｓ5を送出する。対管理室親機火災発生移報信号Ｓ5を入力検出した集合住宅用管理室親機３の対主制御装置受信回路３１は、火災警報表示回路３０から火災発生居室番号Ｓ3aが付加された火災警報を鳴動（表示）させて管理人等に火災発生による非常事態を報知する。但し、集合住宅用主制御装置２における信号受信、集合住宅用管理室親機３における前述の火災警報の鳴動（表示）は、政令等に基づくものではなく、あくまでも付属機能であることから、集合住宅用主制御装置２が自ら受信した信号をもとに集合住宅用居室親機４に対して火災発生の非常事態を報知するための火災警報を鳴動させることは認められていない。
【００３４】
また、上述の対住棟受信機居室火災発生移報信号Ｓ2および共用部火災発生信号Ｓ4は信号線のオン／オフにより伝送されるため、住棟受信機１は警戒区域毎に配線された接続線により、どの警戒区域にて火災が発生されたかを判別することができる。よって、接続線Ｌ3を伝送された対住棟受信機居室火災発生移報信号Ｓ2が住棟受信機１の居室火災受信回路１１にて入力検出されると、対主制御装置通信回路１５から接続線Ｌ1を介して集合住宅用主制御装置２の対住棟受信機通信回路２２に火災が発生した居室の部屋番号（火災発生居室番号）Ｓ3aを問い合わせるための火災発生居室番号問合信号Ｓ6が送出される。ここで、火災発生居室番号問合信号Ｓ6を入力検出した集合住宅用主制御装置２の対住棟受信機通信回路２２に上述の火災警報鳴動指示信号Ｓ3が入力されている場合には、接続線Ｌ1、住棟受信機１の対主制御装置通信回路１５を介して、居室火災受信回路１１に火災が発生した居室の部屋番号（火災発生居室番号）Ｓ3aを報知するための火災発生居室番号通知信号Ｓ7が送出される。住棟受信機１の居室火災受信回路１１が火災発生居室番号通知信号Ｓ7を入力検出すると、住棟受信機１の筐体（図示せず）に設けられた火災警報表示回路１４が動作して火災が発生した居室の部屋番号（火災発生居室番号）Ｓ3aが付加された火災警報が鳴動（表示）され火災発生による非常事態が報知される。
【００３５】
また、このような自動火災報知設備付インターホンシステムでは、政令等により出火した同一の警戒区域内およびその周辺の指定された範囲に対して警報音声によって火災発生信号の伝達が義務づけられていることから、住棟受信機１の火災信号送出回路１３から接続線Ｌ6を介して、火災が発生した居室および同一の警戒区域内の近隣の居室にそれぞれ備えられた集合住宅用居室親機４、４'の地区音響鳴動回路４２に地区音響装置鳴動指令信号Ｓ8が送出されるとともに、住棟受信機１の火災警報鳴動回路１２から接続線Ｌ7を介して、集合住宅用居室親機４、４'の警報音切替回路４３にスピーカ４４を鳴動させるための火災発生居室番号Ｓ3aが付加された警報音声Ｓ9が送出される。
【００３６】
地区音響装置鳴動指令信号Ｓ8を入力検出した集合住宅用居室親機４、４'の地区音響装置鳴動回路４２は、警報音切替回路４３の接点（図示せず）を切り替えて接続線Ｌ7とスピーカ４４とを接続させる。よって、警報音切替回路４３に入力された火災発生居室番号Ｓ3aが付加された警報音声Ｓ9は、スピーカ４４から例えば「○○○号室で火災が発生しました・・・・・。」といった火災警報として鳴動されることから、集合住宅用居室親機４と居室用感知器８が設けられた居室内で火災が発生したことが特定され非常事態が報知される。
【００３７】
また、住棟受信機１の火災信号送出回路１３は、政令等で火災発生信号の伝達が義務づけられた区域の集合住宅の共用部をなす廊下等に設けられた共用部用非常ベル７、７'に、接続線Ｌ9を介して対主制御装置居室火災発生移報信号Ｓ10を送出する。よって、対主制御装置居室火災発生移報信号Ｓ10を入力検出した共用部用非常ベル７、７'がそれぞれ鳴動されることから、集合住宅の同一の警戒区域の共用部をなす廊下等において火災発生による非常事態が報知される。
【００３８】
更に、上述の火災が集合住宅の共用部をなす廊下等で発生した場合、或いは集合住宅用主制御装置２が停電等で機能していない場合には、集合住宅用主制御装置２は火災発生の情報を知得できないため、住棟受信機１は対主制御装置通信回路１５を使用せずに「○階の共用部で火災が発生しました・・・・・。」といった火災警報を鳴動させる。この場合でも、火災が発生した居室の部屋番号の情報が知得できないだけで、同一の警戒区域内の情報を含有した火災警報の報知機能は住棟受信機１が停電しない限り機能することから、火災発生による非常事態を報知する主機能に支障を与えない。
【００３９】
尚、上記実施例では、該居室内で火災が発生した居室の部屋番号を報知する手段として、集合住宅用居室親機のスピーカから火災警報を鳴動させて報知させたが、集合住宅用居室親機内に文字列等の映像の表示により火災が発生した居室の部屋番号を報知する火災警報表示回路等を設けることにより、火災警報のような音声のみならず文字列等の映像の表示により火災が発生した居室の部屋番号をより明確に判別させることができる。
【００４０】
【発明の効果】
以上の説明から明らかなように、本発明の自動火災報知設備付インターホンシステムによれば、集合住宅の同一警戒区域内に設置される居室や共用部をなす廊下等で火災発生が感知されると、同一警戒区域の各居室内では火災が発生した居室の部屋番号が付加された火災警報を鳴動され、共用部をなす廊下等では非常ベルが鳴動されることにより、火災が発生した居室を明確に特定することが可能で防災性の向上が図れる。よって、火災報知設備の技術と集合住宅用インターホン設備の技術とを融合させることにより、火災発生による非常事態の報知を音声警報（火災警報）により容易に構築できる。
【図面の簡単な説明】
【図１】  本発明による自動火災報知設備付インターホンシステムの一実施例の構成を示すブロック図。
【図２】  従来の自動火災報知設備付インターホンシステムの構成を示すブロック図。
【符号の説明】
１……住棟受信機
２……集合住宅用主制御装置
４、４'……集合住宅用居室親機
８、８'……居室用感知器
１１……居室火災受信回路
１２……出火居室番号火災警報鳴動回路
１４……出火居室番号火災警報表示回路
１５……対主制御装置通信回路
２２……対住棟受信機通信回路
４１……火災信号移報回路
Ｓ2……対住棟受信機居室火災発生移報信号
Ｓ3……火災警報鳴動表示信号
Ｓ3a……火災発生居室番号
Ｓ6……火災発生居室番号問合信号
Ｓ7……火災発生居室番号通知信号
Ｓ9……警報音声
【図１】
0003993309.tif 000002
【図２】
0003993309.tif 000003